(57)【要約】【課題】間仕切り装置を構成する仕切り壁体と、該仕切り壁体に回転可能に設けた扉体から成る間仕切り装置であって、扉体の開閉に伴って吊元部での手指挟み込みを防止する間仕切り装置のエッジ構造の提供。【解決手段】間仕切り装置を構成する仕切り壁体２と、該仕切り壁体２に回転可能に設けた扉体３から構成し、扉体３の側端には側端部材５を設け、隣接する仕切り壁体２の側端には枠エッジ材６を設け、さらには、側端部材５の凸状円弧面から繋がるように形成する固定部材９を設け、扉体３の側端部材５と仕切り壁体２の枠エッジ材６の隙間１３を一定寸法としている。【選択図】    図３
0003196930.tif 000002
【実用新案登録請求の範囲】
【請求項１】
間仕切り装置を構成する仕切り壁体と、該仕切り壁体に回転可能に設けた扉体から成る間仕切り装置のエッジ構造において、扉体の吊元側の側端を被覆する側端部材を設け、隣接する仕切り壁体の側端には枠エッジ材を設け、さらに前記側端部材の凸状円弧面から繋がるように形成する固定部材を設け、該固定部材は扉体に取付ける取付け体と該取付け体に嵌合する嵌合体から構成された形態とし、該嵌合体は上記側端部材の凸状円弧面と同一曲率の円弧面を有し、扉体の側端部材及び嵌合体と仕切り壁体の枠エッジ材間の隙間は、扉体が開閉した場合に常に一定寸法としたことを特徴とする間仕切り装置のエッジ構造。
【考案の詳細な説明】
【技術分野】
【０００１】
本考案は、例えばトイレブースを構成する間仕切り装置において、出入り口となる扉体の吊元部において指が挟まれることを防止する間仕切り装置に関する。
【背景技術】
【０００２】
間仕切り装置の中でも、トイレブースにおいてはあらゆる建造物内に設置されており、学校等の公共施設や不特定多数の人が出入りする商業施設等において広く利用されている。このトイレブースは、間仕切りパネルを据え付けしてブースを構成しており、ブースの出入り口には、ヒンジや蝶番を介してドアパネルが取り付けられている。
【０００３】
図５は従来のトイレブースを構成する間仕切り装置のドアパネル側端及びブースの正面パネル側端に取り付けられているエッジ構造を示しており、それぞれブースを構成する正面パネル（イ）と、ブースの出入り口を構成するドアパネル（ロ）を示している。そして、（ａ）はドアパネル（ロ）が閉鎖されている状態を、（ｂ）はドアパネル（ロ）を開放している途中の状態、（ｃ）はドアパネル（ロ）を完全に開放した状態を表している。この間仕切り装置は、ドアパネル（ロ）を閉鎖している状態から開放する途中においては正面パネル（イ）とドアパネル（ロ）の隙間寸法Ａは変わらないが、完全にドアパネル（ロ）を開放した状態では隙間寸法Ａ´が大きくなり、正面パネル（イ）とドアパネル（ロ）の僅かな空間に手指を挟んでしまうといった危険が問題視されていた。特に子供が多く出入りして利用するような施設においては、悪戯で手指を挟む行為も懸念されるため、手指を挟むことがないようにする安全対策が求められていた。
【０００４】
例えば、特開２０１０−１６３８３３「ドアのエッジ装置」のように、ドアパネル吊元側の側端部に装着するカバー材を横断面凸円弧状の外周面とし、また隣り合う壁パネルの側端部に装着しているエッジ材と組み合わせて、カバー材の外周面との間に一定の湾曲隙間を形成する凹円弧状の対向面を形成し、ドアを開閉しても、手指を挟まないような構成とした技術が知られている。
また、特開２０１０−２１６０８８「扉装置」にも、ドアパネルの吊元部に円筒部を有するエッジ部材が設けられ、該エッジ部材の円筒部と枠体との隙間を一定にした構成が記載されている。これらの吊元側のエッジ部材はアルミニウムやステンレスから成る押出形材を、間仕切り装置を据え付ける最初の段階から選択する必要があるため、既に据え付けられている間仕切り装置に手指挟み込み防止機能を追加したい場合には、間仕切りパネルの交換をしなければならない。そのため、間仕切り装置の据え付け工事が煩雑になり手間がかかってしまう。また、工事コストが高くなるといった問題も懸念される。
【特許文献１】特開２０１０−１６３８３３
【特許文献２】特開２０１０−２１６０８８
【考案の開示】
【考案が解決しようとする課題】
【０００５】
このように、従来の間仕切り装置を構成するエッジ構造には上記のごとき問題がある。本考案が解決しようとする課題はこれら問題点であり、簡単な構造で手指を挟むことを防止することが出来、また既存の間仕切り装置であっても、手指の挟み込み防止機能を後から取り付けできるエッジ構造を提供する。
【課題を解決するための手段】
【０００６】
本考案の間仕切り装置のエッジ構造は、間仕切り装置を構成する仕切り壁体と、該仕切り壁体に回転可能に設けた扉体から構成されており、扉体には側端を被覆する側端部材を設け、隣接する仕切り壁体の側端には枠エッジ材を設け、さらに前記側端部材の凸状円弧面から繋がるように形成する固定部材を設け、該固定部材は扉体に取付ける取付け体と該取付け体に嵌合する嵌合体から構成された形態とし、扉体の側端部材と仕切り壁体の枠エッジ材の隙間を一定寸法としたことを特徴としている。
【０００７】
上記取付け体は側端部材の付近において扉体の面に位置決めして固定する。そして、取付け体の両側には係止部が設けられ、該取付け体の係止部に嵌合体の当たり片を係止して取付けする。該嵌合体の当たり片を該取付け体の係止部に係止する際、取付け体の係止部は弾性変形するため、嵌合体が係止しやすくなっている。
【考案の効果】
【０００８】
本考案のエッジ構造は、扉体と仕切り壁体の隙間を一定の寸法に形成することができる。そのため、扉体の吊元部に手指が挟まれるといった危険性を防止できる。また、既に据え付けてある間仕切り装置に固定部材を後から取付けすることができるので、顧客の要望に応じて手指の挟み込み防止機能を追加できる構造となっている。
【図面の簡単な説明】
【０００９】
【図１】間仕切り装置の外観図
【図２】間仕切り装置の横断面図
【図３】エッジ構造の拡大断面図
【図４】扉体の動作を示す断面図
【図５】従来の間仕切り装置における横断面図
【考案を実施するための形態】
【００１０】
図１は間仕切り装置の外観図を表す実施例である。同図の１は間仕切り装置、２は仕切り壁体、３は扉体を表しており、扉体３は仕切り壁体２に例えばヒンジ４を介して回転可能に軸支されている。この間仕切り装置は、トイレブース等に使用され、全体的な基本構造は従来と同じである。
【００１１】
図２は本考案のエッジ構造を有す間仕切り装置の横断面図を表す実施例である。扉体３には吊元側の側端を被覆する側端部材５を設け、仕切り壁体２には同じく側端を被覆する枠エッジ材６を設けている。扉体３及び仕切り壁体２は、ハニカムコア等で構成する芯材７の両面に表面材８を貼り付けし、パネル状にして構成している。
【００１２】
図３は本考案のエッジ構造における拡大断面図である。側端部材５は扉体３の吊元側の側端に取り付けた受け材１４に嵌め込むように取付けられている。また、枠エッジ材６は仕切り壁体２の側端を覆うように取付けられており、側端部材５の円弧面１２との間に隙間を残す凹状湾曲部を形成したカバー材を有している。
【００１３】
そして、側端部材５の付近に固定部材９を取付けるわけであるが、該固定部材９は取付け体１０と取付け体１０に嵌合する嵌合体１１から構成されている。該取付け体１０は樹脂製から成る成形部品であり、取付け体１０の上下に設けたアーム（図示なし）を利用して側端部材５の脚に沿いながら位置決めを行う。
そして、扉体３の面にねじ等で固定した後にアームを折り曲げて破断し除去する。取付け体１０を位置決め固定した後は、取付け体１０に設けている脚１５ａ，１５ｂに嵌合体１１を係止して嵌め込んで取付ける。ここで、嵌合体１１は、側端部材５の円弧面１２に沿って同じ曲率を有す円弧面を形成している。
すなわち、側端部材５の円弧面１２と嵌合体１１の円弧面は同一曲率の円弧面を形成している。
【００１４】
図４は間仕切り装置における扉体３の動作状態の断面図であり、それぞれ（ａ）は間仕切り装置の扉体３が閉鎖されている状態、（ｂ）は扉体３を開放している途中の状態、（ｃ）は扉体３を完全に開放した状態を表している。（ａ）のように扉体３を閉鎖している状態では、扉体３の側端部材５と仕切り壁体２の枠エッジ材６との間に湾曲状の隙間１３が形成される。この湾曲状の隙間１３は、手指が入らないように小さい寸法で設定されており、また均一な状態とすることができる。
【００１５】
そして、（ｂ）のように扉体３を開放しても、固定部材９が扉体３の側端部材５に沿って円弧面１２を形成しているので、湾曲状の隙間１３は一定の寸法を保ちながら動作する。さらに、（ｃ）のように扉体３を完全に開放した状態となっても、湾曲状の隙間１３は閉鎖状態のままの寸法を保つことが可能となる。その際の隙間寸法Ｂは一定の寸法となっており、手指を挟み込むことがなくなる。
【符号の説明】
【００１６】
１   間仕切り装置
２   仕切り壁体
３   扉体
４   ヒンジ
５   側端部材
６   枠エッジ材
７   芯材
８   表面材
９   固定部材
10   取付け体
11   嵌合体
12   円弧面
13   隙間
14   受け材
15   脚
【図１】
0003196930.tif 000003
【図２】
0003196930.tif 000004
【図３】
0003196930.tif 000005
【図４】
0003196930.tif 000006
【図５】
0003196930.tif 000007